(57)【要約】【課題】内部の展示物を透過する状態で視認する領域であるガラス板の部分より内部の展示物に向けてＬＥＤ発光体から照射される光を照射することを可能とし、ガラスショーケースの用途あるいは意匠性を高めることを目的とする。【解決手段】ガラスショーケース１は全体立方体形状をなし、内部に展示物２を収容可能にしている。ガラスショーケース１は正面部、平面部、背面部、左側面部、右側面部、底面部を構成するガラス板の端面部を全体立方体形状をなす枠体３に支持させるようにして形成される。これにより、例えば正面部４Ａや左側面部４Ｄのガラス板４を透過して外部より、内部の展示物２を視認可能としている。【選択図】  図１
0003156331.tif 000002
【実用新案登録請求の範囲】
【請求項１】
全体立方体形状をなし、内部に展示物を収容可能とし、少なくとも平面部、正面部、右側面部、左側面部を方形状のガラス板で形成し、各ガラス板の端面部を全体立方体形状の枠体に支持させ、内部に収容される展示物を各ガラス板を透過して外部より視認可能とするガラスショーケースにおいて、
ガラス板を支持するいずれかの枠体内部の長手方向に沿ってＬＥＤ発光体を配設し、いずれかのガラス板の端面部より該ガラス板にＬＥＤ発光体から照射される光を導光させ、該ガラス板の外表面全体、あるいは外表面の一領域に導光された光を展示物が展示されるガラスショーケース本体の内部に向けて反射可能なドットパターンを支持させたことを特徴とするガラスショーケース。
【請求項２】
ドットパターンを支持させてなるいずれかのガラス板の外表面全体、あるいは外表面の一領域に、さらに反射面体を配設し、ＬＥＤ発光体から照射され、端面部よりガラス板に導光された光をドットパターンとともに反射面体により、展示物が展示されるガラスショーケース本体の内部に向けて反射可能とした
請求項１に記載のガラスショーケース。
【請求項３】
ドットパターンを支持させてなるいずれかのガラス板の内表面全体、あるいは内表面の一領域に、有色の透光膜を配設したことを特徴とする請求項１に記載のガラスショーケース。
【考案の詳細な説明】
【技術分野】
【０００１】
本考案は、例えば博物館や美術館、デパートやショールーム等に設置可能とされ、内部に収容される展示物を外部より視認可能とするガラスショーケースに関する。
【背景技術】
【０００２】
従来、博物館や美術館、デパートやショールームなどにおいて、内部に例えば宝飾品や皿などの展示物を展示し、外部より展示物を視認可能とするガラスショーケースが多く設置される。
【０００３】
ガラスショーケースは、下記特許文献１に示すように、一般に全体立方体形状をなし、内部に展示物を収容可能とするとともに、少なくとも平面部、正面部、背面部、右側面部、左側面部を方形状のガラス板で形成するようにしている。各ガラス板は端面部を全体立方体形状の枠体に支持させてなり、内部に収容される展示物は、各ガラス板を透過して外部より視認可能とされる。
【０００４】
一般にこのようにして形成されるガラスショーケースにあっては、内部に蛍光灯を収容し、展示物に照明光を照射するタイプのものもあるが、ほとんどのショーケースは特別な照明装置を備えておらず、展示物の展示効果に満足が得られなかったところである。
【先行技術文献】
【特許文献】
【０００５】
【特許文献１】特開２００５−３２９１９９号
【特許文献２】特開２００７−５９１６３号
【０００６】
このため、ショーケースの中にスポットライトを配設し、展示物に照明光を重点的に照射するなどの方法も存在するが、スポットライトが別途ショーケースの中に存在することで展示物の展示に悪影響を与えることとなり、またスポットライトは発熱量も多いため、展示物に悪影響を及ぼすことが懸念された。  
【０００７】
ところで最近ＬＥＤを照明光として利用するショーケースが普及されつつある。ＬＥＤは、蛍光灯や白熱灯などに比べて発熱量が少なく、また展示物に悪影響をもたらす紫外線などの発光量が少ないため、特に美術品などの展示物を照明するのに最適とされる。例えば上記特許文献２においてはＬＥＤによりショーケースの底面を発光させたものが開示されているが、こうしたケースによれば、発光による発熱量も少なく、例えばケーキなどの食品などの展示も可能とされる。
【０００８】
ただ、このようにＬＥＤを照明体として用いる従来のショーケースにおいては、底面部のみを発光させるタイプのものであり、正面部、左右の側面部、平面部あるいは背面部より発光させるものは存在しなかった。これは、これらの部分が内部の展示物を透過して視認するための領域に係り、この部分の面部にＬＥＤの発光源を配設することは内部の展示物を視認する際に邪魔となり、またこの部分をＬＥＤによる照明光の発光領域とする技術が存在しなかったところである。  
【考案の概要】
【考案が解決しようとする課題】
【０００９】
本考案は、このような従来の課題を解決するためになされたものであり、全体立方体形状をなし、内部に展示物を収容可能とし、少なくとも平面部、正面部、右側面部、左側面部を方形状のガラス板で形成し、各ガラス板の端面部を全体立方体形状の枠体に支持させ、内部に収容される展示物を各ガラス板を透過して外部より視認可能とするガラスショーケースにおいて、内部の展示物を透過する状態で視認する領域であるガラス板の部分より内部の展示物に向けてＬＥＤ発光体から照射される光を照射することを可能とし、ガラスショーケースの用途あるいは意匠性を高めることを目的とするものである。
【課題を解決するための手段】
【００１０】
上記目的を達成するため、本考案の請求項１は、全体立方体形状をなし、内部に展示物を収容可能とし、少なくとも平面部、正面部、右側面部、左側面部を方形状のガラス板で形成し、各ガラス板の端面部を全体立方体形状の枠体に支持させ、内部に収容される展示物を各ガラス板を透過して外部より視認可能とするガラスショーケースにおいて、ガラス板を支持するいずれかの枠体内部の長手方向に沿ってＬＥＤ発光体を配設し、いずれかのガラス板の端面部より該ガラス板にＬＥＤ発光体から照射される光を導光させ、該ガラス板の外表面全体、あるいは外表面の一領域に導光された光を展示物が展示されるガラスショーケース本体の内部に向けて反射可能なドットパターンを支持させたことを特徴とするガラスショーケースとしている。
【００１１】
また本考案の請求項２は、ドットパターンを支持させてなるいずれかのガラス板の外表面全体、あるいは外表面の一領域に、さらに反射面体を配設し、ＬＥＤ発光体から照射され、端面部よりガラス板に導光された光をドットパターンとともに反射面体により、展示物が展示されるガラスショーケース本体の内部に向けて反射可能とした請求項１に記載のガラスショーケースとしている。
【００１２】
また本考案の請求項３はドットパターンを支持させてなるいずれかのガラス板の内表面全体、あるいは内表面の一領域に、有色の透光膜を配設したことを特徴とする請求項１に記載のガラスショーケースとしている。
【考案の効果】
【００１３】
本考案の請求項１によれば、ガラス板を支持するいずれかの枠体内部の長手方向に沿ってＬＥＤ発光体を配設し、いずれかのガラス板の端面部より該ガラス板にＬＥＤ発光体から照射される光を導光させ、該ガラス板の外表面全体、あるいは外表面の一領域に導光された光を展示物が展示されるガラスショーケース本体の内部に向けて反射可能なドットパターンを支持させるようにしたため、ＬＥＤ発光体より照射される光はガラス板内に導光されてガラス板の外表面のドットパターンの部分で反射され、これにより内部の展示物に向けてＬＥＤ発光体から照射される光を照射することが可能となる。すなわち、ガラス板の外表面に支持されるドットパターンは、内部の展示物を視認する看者においてその視認の邪魔になることもなく、しかも展示物にはガラス板からドットパターンにより反射されるＬＥＤ発光体から照射される光が当たり、看者において良好な視認状態が確保されることとなる。これにより、ガラスショーケースの用途あるいは意匠性を高めることが可能となる。
【００１４】
また本考案の請求項２によれば、ドットパターンを支持させてなるいずれかのガラス板の外表面全体、あるいは外表面の一領域に、さらに反射面体を配設し、ＬＥＤ発光体から照射され、端面部よりガラス板に導光された光をドットパターンとともに反射面体により、展示物が展示されるガラスショーケース本体の内部に向けて反射可能としたため、ＬＥＤ発光体から照射され、ガラス板に導光された光がドットパターンとともに反射面体の部分で反射されて展示物に向けて照射されることとなり、看者においてショーケース内部の展示物のより良好な視認状態が確保されることとなる。
【００１５】
さらに本考案の請求項３によれば、ドットパターンを支持させてなるいずれかのガラス板の内表面全体、あるいは内表面の一領域に、有色の透光膜を配設したため、内部の展示物に向けて照射される光の色にバリエーションを持たせることが可能となり、ガラスショーケースの用途あるいは意匠性をより高めることが可能となる。
【図面の簡単な説明】
【００１６】
【図１】本項案の一実施形態に係るガラスショーケースの全体を示す斜視図である。
【図２】ガラスショーケースを正面より観た斜視図である。
【図３】図１のIII−III線に沿う一部破断の拡大断面図である。
【図４】図１のＩＶ−ＩＶ線に沿う一部破断の拡大断面図である。
【図５】図３の変形例を示す拡大断面図である。
【図６】本考案の他の実施形態を示すガラスショーケースの正面より観た斜視図である。
【図７】図６のガラスショーケースにおいて内部の展示物の支持状態を示す斜視図である。
【図８】図６のＶIIIーＶIII線に沿う一部破断の拡大断面図である。
【図９】本考案の実施例に係るガラスショーケースを正面より観た斜視図である。
【考案を実施するための形態】
【００１７】
先ず、本考案の代表的な実施形態に係るガラスショーケースを図１ないし図５に基づいて説明する。このガラスショーケース１は、全体直方体からなる立方体形状をなし、内部に展示物２を載置する状態で展示可能としている。このガラスショーケース１は、全体直方体形状の枠体３に対し、それぞれ方形状のガラス板４を支持させて構成してなる。
【００１８】
すなわちガラス板４は、それぞれ同部を枠体３に嵌合するようにして支持され、これによりガラスショーケース１は、各ガラス板４により、正面部４Ａ、平面部４Ｂ、背面部４Ｃ、左側面部４Ｄ、右側面部４Ｅを構成するようにしている。ガラスショーケース１の底面部５は、展示物２を載置するための方形状の台板とされ、枠体３に対して嵌合自在とされる。
【００１９】
枠体３に支持されるガラス板４のうち、左側面部４Ｄ、右側面部４Ｅを構成するガラス板４は、それぞれガラスショーケース１の本体内部の展示物２に向けて該ガラス板４に導光される光を照射させるようにしている（図２参照）。すなわち、この部分のガラス板４Ｄ、４Ｅをその上下位置において支持する枠体３の内部には、その長手方向（図１のＹ方向）に沿って複数個のＬＥＤ発光体６が所定間隔で配設される（図４参照）。
【００２０】
このＬＥＤ発光体６から照射される光は、各ガラス板４Ｄ、４Ｅの上下の端面部よりガラス板４Ｄ、４Ｅの内部へと導光され、導光された光は、図４に示すようにガラス板４Ｄ、４Ｅの外表面全体に所定ピッチで支持されるドットパターン７において反射され、これにより図４の矢印に示すようにガラスショーケース１の内部に向けてＬＥＤ発光体６を光源とする光を導光し、照射されることとなる。
【００２１】
このドットパターン７は図１のガラス板４Ｄの拡大部Ａに示すように、ガラス板４Ｄ、４Ｅの外表面のＹ方向並びにＺ方向において、所定間隔をもってマトリックス状にプリント表示され、実施形態においてはガラス板４Ｄ、４Ｅの外表面に反射物をプリント印刷するようにして形成される。
【００２２】
さらにガラスショーケース１は、背面部を構成するガラス板４Ｃからもガラスショーケース１の本体内部の展示物２に向けて該ガラス板４に導光される光を照射させるようにしている（図１参照）。すなわち、この部分のガラス板４Ｃをその上下位置において支持する枠体３の内部には、その長手方向（図１のＸ方向）に沿って複数個のＬＥＤ発光体６が所定間隔で配設される（図３参照）。
【００２３】
このＬＥＤ発光体６から照射される光も、ガラス板４Ｃの上下の端面部よりガラス板４Ｃの内部へと導光され、導光された光は、ガラス板４Ｄ、４Ｅと同様にガラス板４Ｃの外表面全体に所定ピッチで支持されるドットパターン７において反射され、これにより図３の矢印に示すようにガラスショーケースの内部に向けてＬＥＤ発光体６を光源とする光を導光し、照射されることとなる。
【００２４】
加えて、ドットパターン７が支持されるガラス板４Ｃの外表面側には、枠体３に支持される状態で反射面体８が配設される。この反射面体８は、鏡面ボードなどにより形成され、端面部よりガラス板４Ｃに導光された光をドットパターン７とともに、展示物２が展示されるガラスショーケース１の本体内部に向けて、図３の矢印に示すように反射可能としている。
【００２５】
こうして形成されるガラスショーケース１によれば、正面部を構成するガラス板４Ａ、平面部を構成するガラス板４Ｂはもちろんのこと、左側面部を構成するガラス板４Ｄ、右側面部を構成するガラス板４Ｅの部分を介し、外部よりショーケース１の本体内部に収容される展示物２を透過して視認することが可能となる。この際、各ガラス板４Ｄ、４Ｅの外表面に支持されるドットパターン７は、極めて小さいものであるため、看者において透過して視認する際の邪魔になることがない。
【００２６】
しかも展示物２にはガラス板４Ｄ、４Ｅからドットパターン７により反射されるＬＥＤ発光体６を発光源とする照射光が反射される状態で当たることとなり、看者において良好な視認状態が確保されることとなる。
【００２７】
さらに背面部を構成するガラス板４Ｃからは、ドットパターン７により反射されるＬＥＤ発光体６を発光源とする照射光が反射される状態で展示物２に対して当たる他、反射面体８の部分で反射される光も、同様に展示物２に当たることとなり、看者においてガラスショーケース１内部の展示物２を、より良好な状態で視認することを確保できることとなる。
【００２８】
こうした反射面体８は、左右いずれかのガラス板４Ｄ、４Ｅの外表面側に図３のように配設することとしてもよい。そうすることで、内部に展示される展示物２に対し、より多くの照明光を当てることが可能となる。この場合において、反射面体８は必ずしもガラス板４Ｄ、４Ｅの外表面側の全体に配設する必要はなく、一領域に配設して、ショーケース１の本体内部に展示される展示物２に、反射面体８により反射される光を当てることとしてもよい。
【００２９】
加えて、図５に示す図３の変形例に示すように、背面部を構成するガラス板４Ｃの内表面に全体に有色の透明膜９を配設することとしてもよい。すなわち、透明膜９としては、青色、黄色など様々な色とすることで、ドットパターン７や反射面体８に反射されて透明膜９を透過する光が、それぞれの透明膜９の構成色により変化することとなり、ショーケース１の本体内部の展示物２に照射される光をＬＥＤ発光体６の発光色に対し、変化させることが可能となる。こうした有色の透明膜９は、背面部を構成するガラス板４Ｃばかりでなく、左右いずれか、あるいは左右両方のガラス板４Ｄ、４Ｅの内表面全体あるいは内表面の一領域に配設されることとしてもよい。そうすることで、左右のガラス板４Ｄ、４Ｅから展示物２に対して照射されるＬＥＤ発光体６を光源とする光に、バリエーションを持たせることが可能となる。
【００３０】
図６ないし図８は、本考案の他の実施例に係る。このガラスショーケース１１は、全体直方体形状からなり、内部底面部を構成するガラス板１４Ｆの中心に円形の孔部１５を開口し、該開口部１５に全体円柱形状のアクリル製の載置台１６を嵌合する状態で支持させている（図７参照）。すなわちショーケース１１は、この載置台１６の上部に図１に示すように、展示物としての玉石１２を載置し、展示させることを可能にしている。
【００３１】
ガラスショーケース１１は、全体立方体形状の枠体１３に上記底面部を構成するガラス板１４Ｆの他、各ガラス板１４を支持させて構成してなり、各ガラス板１４は、それぞれ周部を枠体１３に嵌合するようにして支持される。すなわち、ショーケース１１は、各ガラス板１４により、正面部１４Ａ、平面部１４Ｂ、背面部１４Ｃ、左側面部１４Ｄ、右側面部１４Ｅ、底面部１４Ｆを構成するようにしている。
【００３２】
枠体１３に支持されるガラス板１４のうち、平面部を構成するガラス板１４Ｂは、ガラスショーケース１１の本体内部において、載置台１６上に載置される展示物としての玉石１２に向けて該ガラス板１４に導光される光を照射させるようにしている（図６参照）。すなわち、この部分のガラス板１４Ｂをその左右位置において支持する枠体１３の内部には、その長手方向（図６のＹ方向）に沿って複数個のＬＥＤ発光体６が所定間隔で配設される（図８参照）。
【００３３】
このＬＥＤ発光体６から照射される光は、ガラス板１４Ｂの左右の端面部よりガラス板１４Ｂの内部へと導光され、導光された光は、ガラス板１４ＢのＸ方向における中心領域でその外表面に所定ピッチで支持されるドットパターン７において反射され、これにより図８の矢印に示すようにガラスショーケース１１の内部の中心部の領域に向けて、ＬＥＤ発光体６を光源とする光を導光し、照射させるようにしている。
【００３４】
この結果、内部底面部を構成するガラス板１４Ｆの中心部上に配設され、載置台１６上に載置される展示物としての玉石１２に対し、ガラス板１４Ｂの中心より、ドットパターン７を介して照射されるＬＥＤ発光体６を光源とする光が、あたかもスポットライトのようにして当たることとなる。
【００３５】
さらに加えて、図６に示すガラスショーケース１１においては、底面部を構成するガラス板１４Ｆをその左右位置において支持する枠体１３の内部において、その長手方向（図６のＹ方向）に沿って複数個のＬＥＤ発光体６が所定間隔で配設するようにしている。この結果、ガラス板１４Ｆにおいても左右の端面部からＬＥＤ発光体６から照射される光がその内部に導光され、導光された光はアクリル製の載置台１６へとさらに導光されることとなる。
【００３６】
すなわちアクリル製の載置台１６に導光された光は、載置台１６の全体を光らせることができる他、その上部に載置される玉石１２をも光らせることが可能となり、上方のガラス板１４Ｂより下降する状態で照射されるＬＥＤ光とともに、展示物としての玉石１２を、より効果的に特徴をもって演出展示することが可能となる。その他の構成および作用については前記実施形態と同様であるため、説明を省略する。
【実施例】
【００３７】
図９は実施例に係るガラスショーケース２１を示す。このガラスショーケース２１は、前記各実施形態に係るガラスショーケース１、１１と同様に全体立方体形状とされ、全体立方体形状の枠体２３に対し、それぞれ方形状のガラス板２４を支持させて構成される。すなわちガラス板２４は、それぞれ周部を枠体２３に嵌合するようにして支持され、これによりガラスショーケース２１は、各ガラス板２４により正面部２４Ａ、平面部２４Ｂ、背面部２４Ｃ、左側面部２４Ｄ、右側面部２４Ｅ、底面部２４Ｆを構成するようにしている。
【００３８】
この実施例では平面部２４Ｂ、左側面部２４Ｄ、右側面部２４Ｅ、底面部２４Ｆの一部を内部に収容する展示物に対する発光領域としてなる。このため、その部分のガラス板２４の外表面に前記実施形態と同様のドットパターン７を支持させ、枠体２３の内部に配設されるＬＥＤ発光体６を光源として図９の矢印に示すようにショーケース２１の本体内部に向けて照明光を照射可能にしている。
【００３９】
さらに、照明光は各ガラス板２４Ｂ、２４Ｄ、２４Ｅ、２４Ｆから発光されるタイミングをずらしたり、間欠的に点灯させることも可能とされ、これにより、より効果的に特徴をもった展示物の演出展示が行えることとなる。
【産業上の利用可能性】
【００４０】
以上のように、本考案に係るガラスショーケースは、ガラスショーケースの用途や意匠性を高めることが可能となり、展示物の視認性が向上されるため、宝石、身飾品、美術品など、様々な展示物をより看者にアピールする形で展示することが可能となる。
【符合の説明】
【００４１】
１、１１、２１  ガラスショーケース
２、１２        展示物
３、１３        枠体
４、  ４Ａ、  ４Ｂ、  ４Ｃ、  ４Ｄ、  ４Ｅ、  ４Ｆ、
１４、１４Ａ、１４Ｂ、１４Ｃ、１４Ｄ、１４Ｅ、１４Ｆ、
２４、２４Ａ、２４Ｂ、２４Ｃ、２４Ｄ、２４Ｅ、２４Ｆ      ガラス板
６              ＬＥＤ発光体
７              ドットパターン
８              反射面体
９              透明膜
１５            孔部
１６            載置台
【図１】
0003156331.tif 000003
【図２】
0003156331.tif 000004
【図３】
0003156331.tif 000005
【図４】
0003156331.tif 000006
【図５】
0003156331.tif 000007
【図６】
0003156331.tif 000008
【図７】
0003156331.tif 000009
【図８】
0003156331.tif 000010
【図９】
0003156331.tif 000011